(57)【特許請求の範囲】
【請求項１】
鍵の着脱が可能なキーリングにおいて端部よりも中間側に位置するリング中間部をロックする封緘具であって、
上記リング中間部を介して上記キーリングを装着することが可能なケースと、
上記ケースに対して変位可能に収容されるスライド部材と、を備え、
上記スライド部材は、上記キーリングの上記リング中間部のロックが解除される解除位置と、上記リング中間部がロックされるロック位置と、の間を、上記ケースに装着された上記キーリングと独立して変位するように上記ケースに対して収容され、
上記解除位置においては、上記スライド部材の一部が上記ケースの一端から突出し、
上記ロック位置においては、上記スライド部材の一部が上記ケースの内部に収容され、
上記スライド部材がロックボタンを備え、
上記解除位置において上記ロックボタンが上記ケースの一端から突出し、上記ロック位置において上記ロックボタンが上記ケースの内部に収容されることを特徴とする封緘具。
【請求項２】
鍵の着脱が可能なキーリングにおいて端部よりも中間側に位置するリング中間部をロックする封緘具であって、
上記リング中間部を介して上記キーリングを装着することが可能なケースと、
上記ケースに対して変位可能に収容されるスライド部材と、を備え、
上記スライド部材は、上記キーリングの上記リング中間部のロックが解除される解除位置と、上記リング中間部がロックされるロック位置と、の間を、上記ケースに装着された上記キーリングと独立して変位するように上記ケースに対して収容され、
上記解除位置においては、上記スライド部材の一部が上記ケースの一端から突出し、
上記ロック位置においては、上記スライド部材の一部が上記ケースの内部に収容され、
上記スライド部材の上記一部と反対側には、上記ケースの内部に形成された係合孔に係合する係合部が形成されており、
上記ロック位置においては、上記係合部は上記係合孔に係合することを特徴とする封緘具。
【請求項３】
向かい合う磁石同士が互いに反発して変位可能なよう、上記封緘具の内部において対向する位置に配置された複数の磁石を備え、
上記ロック位置においては、一方の磁石が上記係合部の上記係合孔に対する係合の解除を阻止する位置に移動することを特徴とする請求項２に記載の封緘具。
【請求項４】
鍵の着脱が可能なキーリングにおいて端部よりも中間側に位置するリング中間部をロックする封緘具であって、上記リング中間部を介して上記キーリングを装着することが可能なケースと、上記ケースに対して変位可能に収容されるスライド部材と、を備え、上記スライド部材は、上記キーリングの上記リング中間部のロックが解除される解除位置と、上記リング中間部がロックされるロック位置と、の間を、上記ケースに装着された上記キーリングと独立して変位するように上記ケースに対して収容され、上記解除位置においては、上記スライド部材の一部が上記ケースの一端から突出し、上記ロック位置においては、上記スライド部材の一部が上記ケースの内部に収容される封緘具の上記ケースに装着される上記キーリングが取り付けられる鍵ホルダであって、
鍵管理装置の鍵返却部の差込口に差し込まれる差込部、および該差込部の上記差込口に差し込まれる側と反対側に延出する延出部、を備えたホルダ本体を備え、
上記キーリングは、上記延出部に対して回動可能に取付けられ、
上記キーリングが装着された上記ケースの一端から突出した上記スライド部材の一部が上記差込部に当接する状態において上記キーリングの上記延出部に対する回動が阻止されることを特徴とする鍵ホルダ。
【請求項５】
請求項４に記載の鍵ホルダに取付けられた上記キーリングの上記リング中間部のロックを解除するロック解除装置であって、
上記封緘具が挿入される挿入口を備え、
上記挿入口に上記封緘具を挿入することで、上記キーリングの上記リング中間部のロックが解除された状態となることを特徴とするロック解除装置。
【請求項６】
請求項５に記載のロック解除装置を備えた鍵管理装置であって、
上記鍵ホルダの上記差込部を差し込むことが可能な差込口が形成されており、
上記差込口に上記差込部が差し込まれた状態で、上記封緘具の一部が上記差込口に入り込んだ状態となることを特徴とする鍵管理装置。
【発明の詳細な説明】
【技術分野】
【０００１】
本発明は、鍵の着脱が可能なキーリングのリング中間部をロックするする封緘具、上記キーリングが取り付けられる鍵ホルダ、該鍵ホルダに取付けられたキーリングのリング中間部のロックを解除するロック解除装置、および該ロック解除装置を備えた鍵管理装置に関する。
【背景技術】
【０００２】
従来、鍵を吊るしたキーリングを鍵ホルダに取り付け、この鍵ホルダを鍵管理装置の返却部に返却可能とすることで、多数の重要な鍵をまとめて管理することが行われている。また、鍵をキーリングに吊るした後に、キーリングの端部を封緘具でロックすることも広く行われている。このような封緘具に関する技術が、特許文献１に開示されている。
【０００３】
この特許文献１に開示された技術では、線状部材（キーリング）の両端部を連結部材本体（封緘具）のスライド体に装着しつつ、連結部材本体のケースに対して上記スライド体をスライドさせることで、線状部材の両端部をロックすることができるようになっているとともに、ロック解除手段によって線状部材のロックが解除できるようになっている。
【先行技術文献】
【特許文献】
【０００４】
【特許文献１】特開２０１４−９１９９５号公報（２０１４年５月１９日公開）
【発明の概要】
【発明が解決しようとする課題】
【０００５】
しかしながら、上記従来技術では、ケースに対するスライド体の相対位置の変化が、スライド体に装着された状態で追随して可動する線状部材に隠れて見えづらい構成なので、線状部材がロックされているのか、ロックが解除されているのかが外部から判別しづらいという問題点がある。このため、上記従来技術では、線状部材の両端部のロックが解除された状態で（ロックをし忘れた状態で）、鍵ホルダが鍵管理装置に返却されてしまう可能性がある。
【０００６】
本発明は、以上の問題点に鑑みて為されたものであり、その目的は、キーリングのリング中間部のロックし忘れを抑制することができる封緘具などを提供することにある。
【課題を解決するための手段】
【０００７】
上記の課題を解決するために、本発明の一態様に係る封緘具は、鍵の着脱が可能なキーリングにおいて端部よりも中間側に位置するリング中間部をロックする封緘具であって、上記リング中間部を介して上記キーリングを装着することが可能なケースと、上記ケースに対して変位可能に収容されるスライド部材と、を備え、上記スライド部材は、上記キーリングの上記リング中間部のロックが解除される解除位置と、上記リング中間部がロックされるロック位置と、の間を、上記ケースに装着された上記キーリングと独立して変位するように上記ケースに対して収容され、上記解除位置においては、上記スライド部材の一部が上記ケースの一端から突出し、上記ロック位置においては、上記スライド部材の一部が上記ケースの内部に収容されることを特徴としている。
【０００８】
上記構成によれば、キーリングのリング中間部のロックが解除される解除位置においては、スライド部材の一部がケースの一端から突出する。一方、リング中間部がロックされるロック位置においては、スライド部材の一部がケースの内部に収容される。このため、スライド部材の一部がケースの一端から突出しているか、スライド部材の一部がケースの内部に収容されているかによって、キーリングのリング中間部がロックされているのか、リング中間部のロックが解除されているのかが外部から判別し易い。
【０００９】
また、上記構成によれば、スライド部材は、上記解除位置と、上記ロック位置と、の間を、ケースに装着されたキーリングと独立して変位するようにケースに対して収容されている。言い換えれば、スライド部材は、キーリングと独立して可動するように構成されており、上記特許文献１に記載された技術のように、ケースに対するスライド部材の相対位置の変化が、スライド部材に装着された状態で追随して可動するキーリングに隠れて見えづらいという問題は生じない。以上により、キーリングのリング中間部のロックし忘れを抑制することができる。
【００１０】
本発明の一態様に係る封緘具は、上記スライド部材の上記一部と反対側には、上記ケースの内部に形成された係合孔に係合する係合部が形成されており、上記ロック位置においては、上記係合部は上記係合孔に係合しても良い。上記構成によれば、ケースに対するスライド部材の相対位置が変位して、ユーザの意図に反して、ロックが解除されることを阻止することができる。
【００１１】
本発明の一態様に係る封緘具は、向かい合う磁石同士が互いに反発して変位可能なよう、上記封緘具の内部において対向する位置に配置された複数の磁石を備え、上記ロック位置においては、一方の磁石が上記係合部の上記係合孔に対する係合の解除を阻止する位置に移動しても良い。上記構成によれば、ユーザの意図に反して、係合部の係合孔に対する係合が解除されてスライド部材のケースに対する相対位置が変位してしまうことを阻止することができる。
【００１２】
本発明の一態様に係る鍵ホルダは、上記封緘具の上記ケースに装着される上記キーリングが取り付けられる鍵ホルダであって、鍵管理装置の鍵返却部の差込口に差し込まれる差込部、および該差込部の上記差込口に差し込まれる側と反対側に延出する延出部、を備えたホルダ本体を備え、上記キーリングは、上記延出部に対して回動可能に取付けられ、上記キーリングが装着された上記ケースの一端から突出した上記スライド部材の一部が上記差込部に当接する状態において上記キーリングの上記延出部に対する回動が阻止されることが好ましい。上記構成によれば、ケースの一端から突出したスライド部材の一部がホルダ本体の差込部に当接する状態においてキーリングの延出部に対する回動が阻止される。また、キーリングのリング中間部のロックが解除される解除位置においては、スライド部材の一部がケースの一端から突出する。このため、キーリングの延出部に対する回動が阻止されることにより、キーリングのリング中間部のロックが解除されていること（ロックし忘れ）をユーザは認識することができる。
【００１３】
本発明の一態様に係るロック解除装置は、上記鍵ホルダに取付けられた上記キーリングの上記リング中間部のロックを解除するロック解除装置であって、上記封緘具が挿入される挿入口を備え、上記挿入口に上記封緘具を挿入することで、上記キーリングの上記リング中間部のロックが解除された状態となっても良い。上記構成によれば、ロック解除装置の挿入口に封緘具を挿入するだけで、キーリングまたは封緘具を破壊することなく簡単にロックを解除することができる。
【００１４】
本発明の一態様に係る鍵管理装置は、上記ロック解除装置を備えた鍵管理装置であって、上記鍵ホルダの上記差込部を差し込むことが可能な差込口が形成されており、上記差込口に上記差込部が差し込まれた状態で、上記封緘具の一部が上記差込口に入り込んだ状態となることが好ましい。上記構成によれば、差込口に差込部が差し込まれ、封緘具の一部が差込口に入り込んだ状態では、キーリングの延出部に対する回動が阻止される。これにより、リング中間部のロックが解除できなくなるため、不正なロック解除を抑制することができる。上記特許文献１に記載の技術では、鍵ホルダが鍵管理装置に返却されている状態でも連結部材本体（封緘具）が露出しているため不正なロック解除が行われる可能性があるが、上記本発明の一態様に係る鍵管理装置によれば、このような問題を回避することができる。
【００１５】
また、上記構成によれば、キーリングのリング中間部のロックが解除される解除位置においては、スライド部材の一部がケースの一端から突出する。一方、リング中間部がロックされるロック位置においては、スライド部材の一部がケースの内部に収容される。このため、スライド部材の一部がケースから突出しているのか、あるいはケースの内部に収容されているのかによって、キーリングのリング中間部がロックあるいは解除されているのかが外部から判別し易い。以上により、キーリングのリング中間部のロックし忘れを抑制することができる鍵管理装置を実現することができる。
【発明の効果】
【００１６】
本発明の一態様によれば、キーリングのリング中間部のロックし忘れを抑制することができるという効果を奏する。
【図面の簡単な説明】
【００１７】
【図１】（ａ）は、本発明の実施形態１に係る鍵ホルダの付属品を示す図であり、（ｂ）は、キーリングのリング中間部がロックされた状態における鍵ホルダの状態を示す図であり、（ｃ）は、キーリングのリング中間部のロックが解除された状態における鍵ホルダの状態を示す図であり、（ｄ）は、鍵ホルダを鍵管理装置の返却部に返却したときの状態を示す図である。
【図２】（ａ）は、本発明の実施形態２に係るロック解除装置の挿入口に上記鍵ホルダの封緘具を挿入する前の状態を示す図であり、（ｂ）は、キーリングのリング中間部がロックされた状態における封緘具の内部の様子を示す断面図であり、（ｃ）は、ロック解除装置の挿入口に上記鍵ホルダの封緘具を挿入した後の状態を示す図であり、（ｄ）は、キーリングのリング中間部のロックが解除された状態における封緘具の内部の様子を示す断面図である。
【図３】（ａ）は、本発明の実施形態２に係るロック解除装置の内部の構造を示す透視図であり、（ｂ）は、ストッパーのロックを解除した状態における上記ロック解除装置の内部の状態を示す図であり、（ｃ）は、ストッパーをロックした状態における上記ロック解除装置の内部の状態を示す図である。
【図４】本発明の実施形態３に係る鍵管理装置の構成を示す図である。
【図５】（ａ）は、キーリングの変形例を説明するための図であり、（ｂ）は、封緘具のロックの解除方法の変形例を説明するための図である。
【発明を実施するための形態】
【００１８】
本発明の実施の形態について図１〜図５に基づいて説明すれば以下のとおりである。以下、特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。
【００１９】
〔実施形態１〕
図１に基づき、本発明の実施形態１に係る鍵ホルダ１０について説明する。図１の（ａ）は、鍵ホルダ１０の付属品を示す図である。同図に示すように、本実施形態の鍵ホルダ１０の付属品には、ホルダ本体３、キーリング１および封緘具２がある。
【００２０】
鍵の着脱が可能なキーリング１は、金属材料で構成されている。また、キーリング１は、端部よりも中間側に位置するリング中間部１ａを有しており、キーリング１の終端側は、互いに背を向けて対向し、互いに逆向きに屈曲した屈曲部１ｂとなっている。
【００２１】
封緘具２は、ケース２２、およびスライド部材２１〔図２の（ｂ）参照〕を備えている。ケース２２は、樹脂材料で構成され、直方体形状を為しており、図１の（ａ）に示す裏側の側面には、キーリング１のリング中間部１ａが嵌合されるリング中間部嵌合孔２２ａが形成されている。ケース２２のリング中間部嵌合孔２２ａにキーリング１のリング中間部１ａを嵌合させることで、キーリング１を封緘具２に装着することが可能になっている。なお、本実施形態では、ケース２２は、樹脂材料で構成されているものとして説明するが、ケース２２の構成材料は、樹脂材料に限定されない。例えば、ケース２２の構成材料を金属材料としても良い。
【００２２】
また、スライド部材２１は樹脂材料で構成されており、その一端には、ロックボタン（一部）２１ａが形成されており、図１の（ａ）に示す例では、ケース２２の一端から突出している。なお、本実施形態では、スライド部材２１は、樹脂材料で構成されているものとして説明するが、スライド部材２１の構成材料は、樹脂材料に限定されない。例えば、スライド部材２１の構成材料を金属材料としても良い。
【００２３】
封緘具２は、キーリング１のリング中間部１ａをロックすることが可能になっている。詳細は後述するが、リング中間部１ａをロックされた状態にするには、リング中間部１ａをケース２２のリング中間部嵌合孔２２ａに嵌合させた状態（キーリング１をケース２２に装着した状態）で、ロックボタン２１ａを押してケース２２の内部に収容させれば良い。
【００２４】
一方、リング中間部１ａをリング中間部嵌合孔２２ａに嵌合させた状態で、ケース２２の一端からロックボタン２１ａを突出させれば、リング中間部１ａはロックが解除された状態となる。
【００２５】
ホルダ本体３は、樹脂材料で構成されており、鍵管理装置のホルダ返却部５０〔図１の（ｄ）参照〕の差込口５１に差し込まれる差込部３１と、差込部３１の差込口５１に差し込まれる側と反対側に延出する延出部３２と、を備える。差込部３１と延出部３２とは一体に成形されている。差込部３１は、縦断面が縦長矩形状となる直方体形状を為しており、図１の（ａ）に示す表裏の側面には、樹脂変形防止のための複数の溝が形成されている。また、図１の（ａ）に示す延出部３２の下面側には、キーリング１の屈曲部１ｂが取り付けられる屈曲部装着孔３ａが形成されている。なお、本実施形態では、ホルダ本体３は、樹脂材料で構成されているものとして説明するが、ホルダ本体３の構成材料は、樹脂材料に限定されない。例えば、ホルダ本体３の構成材料を金属材料としても良い。
【００２６】
鍵ホルダ１０の付属品の組立ての手順は、以下のとおりである。
（１）キーリング１の屈曲部１ｂをホルダ本体３の延出部３２の屈曲部装着孔３ａに取付ける。
（２）キーリング１のリング中間部１ａを封緘具２のケース２２のリング中間部嵌合孔２２ａに嵌合させた状態で、ロックボタン２１ａを押して（スライド部材２１をケース２２に対して相対的に変位させて）ケース２２の内部に収容させる。
【００２７】
以上のような手順により、鍵ホルダ１０は、図１の（ｂ）に示す状態となる。図１の（ｂ）は、キーリング１のリング中間部１ａがロックされた状態における鍵ホルダ１０の状態を示す図である。この状態では、キーリング１（または封緘具２）が、延出部３２に対して手前側から奥側まで、ホルダ本体３とは別個独立に、約１８０°回動可能に支持されている。なお、キーリング１（または封緘具２）の回動範囲は、上記の形態に限定されず、例えば、キーリング１（または封緘具２）が、延出部３２に対して手前側から下側まで、ホルダ本体３とは別個独立に約９０°回動可能に支持されていても良い。
【００２８】
次に、図１の（ｃ）は、キーリング１のリング中間部１ａのロックが解除された状態における鍵ホルダ１０の状態を示す図である。リング中間部１ａのロックが解除された状態では、図１の（ｃ）に示すように、封緘具２のケース２２の一端から突出したスライド部材２１のロックボタン２１ａがホルダ本体３の差込部３１に当接する状態においてキーリング１の延出部３２に対する回動が阻止される。言い換えれば、図１の（ｃ）に示す状態で、封緘具２（またはキーリング１）を手前側から下側へ９０°回転させようとしても、ホルダ本体３の差込部３１と封緘具２のロックボタン２１ａとが接触して回動が阻止される。このように、キーリング１の延出部３２に対する回動が阻止されることにより、キーリング１のリング中間部１ａのロックが解除されていること（ロックし忘れ）を鍵のユーザは認識することができる。
【００２９】
次に、図１の（ｄ）は、鍵ホルダ１０を鍵管理装置（図４参照）のホルダ返却部（鍵返却部）５０に返却したときの状態を示す図である。同図に示す状態では、ホルダ返却部５０の差込口５１に対して、ホルダ本体３の差込部３１が差し込まれた状態になっている（この状態では、差込部３１は差込口５１に隠れて見えない）。この状態では、封緘具２の一部が差込口５１に入り込んでいるため、キーリング１（または封緘具２）を延出部３２に対して回動（または回転）させることができない。これにより、リング中間部１ａのロックが解除できなくなるため、不正なロック解除を抑制することができる。上記特許文献１に記載の技術では、鍵ホルダが鍵管理装置に返却されている状態でも連結部材本体（封緘具）が露出しているため不正なロック解除が行われる可能性があるが、本実施形態の鍵管理装置によれば、このような問題を回避することができる。
【００３０】
また、ホルダ返却部５０の差込口５１に対して、ホルダ本体３の差込部３１が完全に挿入されると、鍵ホルダ１０にロックが掛り、鍵ホルダ１０をホルダ返却部５０から抜き取ることができなくなる。ホルダ返却部５０から鍵ホルダ１０を抜き取るには、個人認証により、鍵ホルダ１０のロックを解除する必要がある。
【００３１】
なお、鍵ホルダ１０を鍵管理装置のホルダ返却部５０に返却しているときは、図１の（ｂ）に示すように、キーリング１全体を含む面と、ホルダ本体３の差込部３１の手前側の側面とが平行な状態にあるので、キーリング１のリング中間部１ａのロック状態を解除することはできない（ロックボタン２１ａが外部から見えない状態になっている）。このため、不正な鍵交換を防止することができる。
【００３２】
次に、鍵ホルダ１０が図１の（ｃ）に示す状態にあるときは、延出部３２に対する封緘具２の手前側から下側への９０°の回動が阻止されるため、鍵ホルダ１０をホルダ返却部５０に返却することができない。これにより、鍵交換の際に、封緘具２のロックボタン２１ａを押してロックボタン２１ａをケース２２の内部に収納させなければ、ホルダ本体３をホルダ返却部５０に返却できないので、確実な鍵交換操作を実現できる。
【００３３】
次に、図２に基づき、キーリング１のリング中間部１ａをロックしたときと、キーリング１のリング中間部１ａのロックを解除したときと、における封緘具２の状態について説明する。図２の（ａ）は、本発明の実施形態２に係るロック解除装置４０の挿入口４１に鍵ホルダ１０の封緘具２を挿入する前の状態を示す図である。ロック解除装置４０の構成の詳細については後述する。ロック解除装置４０の筐体４０ａの手前側の側面には、挿入口４１が形成されており、挿入口４１の上部には、ストッパー４１ａが設けられている。図２の（ａ）に示す状態で、ホルダ本体３の延出部３２および封緘具２を挿入口４１に挿入しようとしても通常の状態では、ストッパー４１ａにロックが掛っているので、延出部３２がストッパー４１ａに接触して、延出部３２および封緘具２を挿入口４１に挿入することができない。個人認証により鍵交換操作が可能になった場合、ストッパー４１ａのロックが解除されて、ストッパー４１ａが筐体４０ａの奥側に可動になるので、延出部３２および封緘具２を挿入口４１に挿入することが可能になる。封緘具２を挿入口４１に完全に挿入すると、キーリング１のリング中間部１ａの封緘具２によるロックが解除される。これにより、ロック解除装置４０の挿入口４１に封緘具２を挿入するだけで、キーリング１または封緘具２を破壊することなく簡単にロックを解除することができる。
【００３４】
なお、図２の（ａ）に示すように、延出部３２および封緘具２を挿入口４１に挿入する場合、キーリング１を含む面と、差込部３１の上側の側面と、が為す角は、約９０°にしておく必要がある。
【００３５】
次に、図２の（ｂ）は、キーリング１のリング中間部１ａがロックされた状態における封緘具２の内部の様子を示す断面図である。同図に示すように、封緘具２は、ケース２２、スライド部材２１を備える。ケース２２の上側の側面には、キーリング１のリング中間部１ａが嵌合されるリング中間部嵌合孔２２ａが形成されている。また、ケース２２の内部の右上側には、後述する係合部２１ｂが係合する係合孔２２ｃが形成されている。
【００３６】
スライド部材２１は、ケース２２に装着されたキーリング１と独立して、キーリング１のリング中間部１ａのロックが解除される解除位置〔図２の（ｄ）参照〕と、リング中間部１ａがロックされるロック位置〔図２の（ｂ）参照〕と、の間を変位するようにケース２２に対して収容されている。
【００３７】
上記解除位置においては、スライド部材２１のロックボタン２１ａがケース２２の一端から突出し、上記ロック位置においては、スライド部材２１のロックボタン２１ａがケース２２の内部に収容される。
【００３８】
スライド部材２１の左端には、ロックボタン２１ａが形成されており、スライド部材２１のロックボタン２１ａと反対側には、上述したケース２２の係合孔２２ｃに係合する係合部２１ｂが形成されている。上記ロック位置においては、係合部２１ｂがケース２２の内部に形成された係合孔２２ｃに係合する。このため、ケース２２に対するスライド部材２１の相対位置が変位して、ユーザの意図に反して、ロックが解除された状態となることを阻止することができる。
【００３９】
次に、スライド部材２１の右側には、磁石２３が収納される磁石収納室２１ｃが形成されている。複数の磁石２３のそれぞれは、向かい合う磁石同士が互いに反発して変位可能なよう、封緘具２の内部（磁石収納室２１ｃ）において対向する位置に配置されている。
【００４０】
また、スライド部材２１の上側側面には、キーリング１のリング中間部１ａが嵌合されるリング中間部嵌合孔２１ｄが形成されている。リング中間部嵌合孔２２ａの左側の壁面には、蓋部２１ｆが形成されている。なお、本実施形態では、磁石２３を２つ用いた形態について説明しているが、磁石２３を３つ以上用いた形態を採用しても良い。
【００４１】
上記ロック位置においては、図２の（ｂ）に示すように、スライド部材２１は、ケース２２に対して相対的に右側一杯にスライドし、ロックボタン２１ａがケース２２の内部に完全に収納された状態になる。また、このとき、スライド部材２１の係合部２１ｂは、ケース２２の係合孔２２ｃに完全に係合した状態になる。
【００４２】
また、ケース２２のリング中間部嵌合孔２２ａは、スライド部材２１の蓋部２１ｆによって塞がれた状態になるため、これによりキーリング１のリング中間部１ａは、ロックされ、キーリング１を封緘具２から取り外すことができない状態になる。
【００４３】
また、上記ロック位置においては、磁石収納室２１ｃに収納されている複数の磁石２３は、磁石２３同士が反発して離間し、一方の磁石２３が、係合部２１ｂの係合孔２２ｃに対する係合の解除を阻止する位置に（右側に）移動している。このため、ユーザの意図に反して、係合部２１ｂの係合孔２２ｃに対する係合が解除されてスライド部材２１のケース２２に対する相対位置が変位してしまうことを阻止することができる。
【００４４】
次に、図２の（ｃ）は、ロック解除装置４０の挿入口に、鍵ホルダ１０の延出部３２および封緘具２を完全に挿入した後の状態を示す図である。この状態で、キーリング１のリング中間部１ａのロックは解除される。
【００４５】
次に、図２の（ｄ）は、キーリング１のリング中間部１ａのロックが解除された状態における封緘具２の内部の様子を示す断面図である。同図に示すように、キーリング１のリング中間部１ａのロックが解除された状態では、スライド部材２１は、ケース２２に対して相対的に左側にスライドし、ロックボタン２１ａがケース２２の一端から突出した状態になる。
【００４６】
また、このとき、スライド部材２１の係合部２１ｂは、ケース２２の係合孔２２ｃに対する係合状態が解除される。また、ケース２２のリング中間部嵌合孔２２ａは、スライド部材２１の蓋部２１ｆによって塞がれた状態が解除されるため、これによりキーリング１のリング中間部１ａのロックが解除され、キーリング１を封緘具２から取り外し可能な状態になる。
【００４７】
磁石収納室２１ｃに収納されている複数の磁石２３は、右側の磁石２３と、ロック解除装置４０の内部に設けられた磁石４４とが、反発して離間し、右側の磁石２３が、磁石収納室２１ｃの左端一杯に移動している。これにより、係合部２１ｂの係合孔２２ｃに対する係合が解除可能になる。
【００４８】
なお、上記の構造では、スライド部材２１のケース２２に対する相対位置を変位させても、リング中間部嵌合孔２２ａ（およびリング中間部嵌合孔２１ｄ）に嵌合（装着）されたキーリング１のリング中間部１ａの、ケース２２に対する相対位置は、変化しないようになっている。言い換えれば、スライド部材２１は、キーリング１と独立して可動するように構成されており、上記特許文献１に記載された技術のように、ケースに対するスライド部材の相対位置の変化が、スライド部材に装着された状態で追随して可動するキーリングに隠れて見えづらいという問題は生じない。
【００４９】
また、上記構成によれば、ケース２２の一端からスライド部材２１のロックボタン２１ａが突出してキーリングのリング中間部１ａのロックが解除され、ロックボタン２１ａがケース２２の内部に収容されてキーリング１のリング中間部１ａがロックされる。このため、スライド部材２１のロックボタン２１ａがケース２２の一端から突出しているか、スライド部材２１のロックボタン２１ａがケース２２の内部に収容されているかによって、キーリング１のリング中間部１ａがロックされているのか、ロックが解除されているのかが外部から判別し易い。以上により、キーリング１のリング中間部１ａのロックし忘れを抑制することができる。
【００５０】
〔実施形態２〕
次に、図３に基づき、本発明の実施形態２に係るロック解除装置４０の構造について説明する。図３の（ａ）は、ロック解除装置４０の内部の構造を示す透視図である。図３の（ｂ）は、ストッパー４１ａのロック解除時におけるロック解除装置４０の内部の状態を示す図である。一方、図３の（ｃ）は、ストッパー４１ａのロック時におけるロック解除装置４０の内部の状態を示す図である。
【００５１】
これらの図に示すように、ロック解除装置４０は、筐体４０ａ、ストッパー４１ａ、バネ４１ｂ、ソレノイド４２、プランジャー４２ａ、掛け金４３、および支持軸４３ｂを備える。掛け金４３は、支持軸４３ｂによって回動可能に支持されており、バネ４１ｂは、ストッパー４１ａを図３の（ｂ）に示す奥側向きに付勢している。掛け金４３の下方端部には、プランジャー挿入孔４３ｃが形成されており、ソレノイド４２のプランジャー４２ａが挿入されている。ソレノイド４２のプランジャー４２ａが右側に移動すると、掛け金４３は、支持軸４３ｂを中心として反時計まわりに回動する。一方、ソレノイド４２のプランジャー４２ａが左側に移動すると、掛け金４３は、支持軸４３ｂを中心として時計まわりに回動する。
【００５２】
図３の（ｂ）に示すように掛け金４３が支持軸４３ｂを中心として反時計まわりに回転して、先端部４３ａがストッパー４１ａの手前側の面から離間した状態（ロック解除時）では、ストッパー４１ａは可動状態にあり、ホルダ本体３の延出部３２の侵入は阻止されない。一方、図３の（ｃ）に示すように、掛け金４３が支持軸４３ｂを中心として時計まわりに回転して、先端部４３ａがストッパー４１ａの手前側の面を覆うように近づいた状態（ロック時）では、ストッパー４１ａの可動が掛け金４３の先端部４３ａで阻止された状態になり、ホルダ本体３の延出部３２の侵入は阻止される。
【００５３】
鍵交換を行う際に、特定の認証操作を行うと、図３の（ｂ）に示すようにソレノイド４２のプランジャー４２ａが右側に移動し、掛け金４３の先端部４３ａが、ストッパー４１ａの手前側の面から離間した状態（ロック解除時）になる。
【００５４】
〔実施形態３〕
次に、図４に基づき、本発明の実施形態３に係る鍵管理装置６０について説明する。図４は、鍵管理装置６０の構成を示す図である。同図に示すように鍵管理装置６０は、ホルダ返却部５０を複数備えており、複数の鍵ホルダ１０のそれぞれが対応するホルダ返却部５０に返却される。また、鍵管理装置６０は、上述したロック解除装置４０を備えている。上記構成によれば、キーリング１のリング中間部１ａのロックが解除される解除位置においては、スライド部材２１のロックボタン２１ａがケース２２の一端から突出する。一方、リング中間部１ａがロックされるロック位置においては、スライド部材２１の一部がケース２２の内部に収容される。このため、スライド部材２１のロックボタン２１ａがケース２２の一端から突出しているか、スライド部材２１のロックボタン２１ａがケース２２の内部に収容されているかによって、キーリング１のリング中間部１ａがロックされているのか、リング中間部１ａのロックが解除されているのかが外部から判別し易い。これにより、キーリング１のリング中間部１ａのロックし忘れを抑制することができる鍵管理装置６０を実現することができる。
【００５５】
なお、本実施形態では、鍵管理装置６０が、ロック解除装置４０を一体的に備えている形態について説明したが、鍵管理装置６０の形態はこのような形態に限定されず、ロック解除装置と鍵管理装置とを別体として構成し、ロック解除装置を鍵管理装置に対して外付け可能としても良い。この場合、ロック解除装置と鍵管理装置とは、有線または無線にて通信可能となっていても良い。
【００５６】
（鍵交換の回数制限機能、鍵交換の可能日制限機能について）
鍵管理装置６０に関し、１日に鍵交換できる回数や、鍵交換できる日に制限を設け、不正な鍵交換操作を抑止しても良い。
【００５７】
例えば、鍵交換の回数制限機能では、以下の条件を設定する。
（１）１日に鍵交換できる回数を設定する。
（２）鍵毎に鍵交換回数を０時〜２４時で監視して、設定されている鍵交換回数以内に鍵交換を制限する。
（３）０時を過ぎると、鍵交換回数がクリアされ、一から鍵交換回数をカウントし、設定されている鍵交換回数以内に鍵交換を制限する。
【００５８】
具体的には、鍵交換回数設定が「１回」の場合、例えば、Ｎｏ．１の鍵の０時〜２４時の鍵交換回数が１回目であれば、鍵交換は、有効とされる（ＯＫ）。
【００５９】
次に、鍵交換の可能日制限機能では、以下の条件を設定する。
（１）鍵交換ができる鍵交換の可能日を予め設定する。
（２）鍵交換の可能日を監視して、鍵交換の権限がある人でも、設定されている鍵交換の可能日のみに鍵交換を制限する。
【００６０】
具体的には、鍵交換可能日設定が、「２０１５年７月１日」の場合、例えば、Ｎｏ．１の鍵の「２０１５年６月１５日」の鍵交換は禁止される（ＮＧ）。一方、Ｎｏ．１の鍵の「２０１５年７月１日」の鍵交換は、有効とされる（ＯＫ）。
【００６１】
（鍵の同一人取り出し回数制限機能について）
金庫室の鍵、ＡＴＭの鍵など１日に数回しか使用しない鍵に取り出し回数制限を設ける。これにより、鍵の不正使用が抑止される。
【００６２】
鍵の同一人取り出し回数制限機能では、以下の条件を設定する。
（１）鍵毎に同じ人が１日に鍵を取り出せる回数を設定し、鍵の取り出し回数を制限する。
（２）別の人が鍵を取り出すことは可能だが、別の人も鍵の取り出し回数を同様に制限する。
（３）２４時間経過すると、個人毎にカウントした鍵の取り出し回数がクリアされ、一から鍵の取り出し回数をカウントし、鍵の取り出し回数を制限する。
（４）取り出し回数が、ＮＧになった場合は、不正な鍵の使用の可能性があり、「（ａ）全部の鍵」、「（ｂ）重要鍵」、および「（ｃ）取り出しＮＧになった人が取り出し権限のある鍵」、の何れかの鍵を取り出し禁止にする。
【００６３】
具体的には、Ｎｏ．６の鍵の取り出し回数設定が「３回」の場合、ＡさんがＮｏ．６の鍵を取り出す場合に、取り出し回数が１回目〜３回目の場合、鍵の取り出し（鍵管理装置からの鍵ホルダの取り出し）は、有効とされる（ＯＫ）。一方、ＡさんがＮｏ．６の鍵を取り出す場合に、取り出し回数が４回目の場合、鍵の取り出しは禁止される（ＮＧ）。
【００６４】
〔変形例１〕
次に、図５の（ａ）に基づき、キーリング１の変形例について説明する。同図に示すように、キーリング１のリング中間部１ａは封緘具２に装着することで、広げられる形状になっており、キーリング１に封緘具２を装着しなければ、キーリング１の両端が閉じられ、ホルダ本体３からキーリング１が外れて落ちてしまうように構成しても良い。これにより、確実な封緘具２の装着が行われる。
【００６５】
〔変形例２〕
次に、図５の（ｂ）に基づき、封緘具２のロックの解除方法の変形例について説明する。同図に示すように、ロック解除装置４０の挿入口４１のストッパー４１ａの下部に形成されている孔に、封緘具２のみを挿入して、ロック状態を解除しても良い。これにより、リング中間部嵌合孔２２ａにリング中間部１ａを嵌合させることなく、間違ってロックした場合であっても、ロックを解除することが可能になる。
【００６６】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００６７】
１    キーリング
１ａ  リング中間部
２    封緘具
３    ホルダ本体
１０    鍵ホルダ
２１    スライド部材
２１ａ  ロックボタン（一部）
２１ｂ  係合部
２２    ケース
２２ｃ  係合孔
２３    磁石
３１    差込部
３２    延出部
４０    ロック解除装置
４１    挿入口
５０    ホルダ返却部（鍵返却部）
６０    鍵管理装置
【図１】
0006436876.tif 000002
【図２】
0006436876.tif 000003
【図３】
0006436876.tif 000004
【図４】
0006436876.tif 000005
【図５】
0006436876.tif 000006